(57)【要約】      （修正有）【課題】基板の辺に沿って検査端子を設けた場合でも、検査端子に起因する表示品位の低下を抑制することのできる電気光学装置、および電子機器を提供する。【解決手段】電気光学装置の第１基板１０には、走査線駆動回路１０４のシフトレジスター回路やデータ線駆動回路１０１のシフトレジスター回路を検査する検査端子（第１検査端子１１および第２検査端子１２）が形成されている。第１検査端子１１および第２検査端子１２は各々、第１基板１０の非表示領域１０ｃのうち、表示領域１０ａを第１辺１０ｅの延在方向（Ｘ方向）に投影した投影範囲Ｙａに対して第２辺および第３辺１０ｇの延在方向（Ｙ方向）にずれた位置において、第２辺および第３辺１０ｇに沿って一列に配置されている。【選択図】図３
2016099491.tif 000002
【特許請求の範囲】
【請求項１】
第１基板の表示領域に対して外側の非表示領域において前記第１基板の第１辺に沿って
配列された複数の接続端子と、
前記非表示領域において前記第１基板の前記第１辺に隣接する第２辺に沿って配置され
た第１駆動回路と、
前記非表示領域において前記第２辺に沿って配置された複数の第１検査端子と、
を有し、
前記複数の第１検査端子は、前記表示領域を前記第１辺の延在方向に投影した投影範囲
に対して前記第２辺の延在方向にずれた位置に設けられていることを特徴とする電気光学
装置。
【請求項２】
前記複数の第１検査端子は、前記第２辺に沿って一列に配置されていることを特徴とす
る請求項１に記載の電気光学装置。
【請求項３】
前記複数の第１検査端子の一部の端子は、前記投影範囲に対して前記第２辺の延在方向
の一方側にずれた位置に設けられ、他の一部の端子は、前記投影範囲に対して前記第２辺
の延在方向の他方側にずれた位置に設けられていることを特徴とする請求項１または２に
記載の電気光学装置。
【請求項４】
前記複数の第１検査端子は、前記投影範囲に対して前記第２辺の延在方向の一方側にず
れた位置に設けられていることを特徴とする請求項１または２に記載の電気光学装置。
【請求項５】
前記非表示領域において前記第１基板の前記第２辺と対向する第３辺に沿って配置され
た第２駆動回路と、
前記非表示領域において前記第３辺に沿って配置された複数の第２検査端子を有し、
前記複数の第２検査端子は、前記表示領域を前記第１辺の延在方向に投影した範囲に対
して前記第３辺の延在方向にずれた位置に設けられていることを特徴とする請求項１乃至
４の何れか一項に記載の電気光学装置。
【請求項６】
前記複数の第１端子と前記複数の第２検査端子は、前記表示領域を挟んで線対称に配置
されていることを特徴とする請求項５に記載の電気光学装置。
【請求項７】
前記第１基板に対向する第２基板と、前記第１基板と前記第２基板とを貼り合わせる枠
状のシール材と、前記シール材で囲まれた領域に配置された液晶層と、を有し、
前記第１基板の前記液晶層と接する面に第１配向膜が形成され、
前記第２基板の前記液晶層と接する面に第２配向膜が形成されていることを特徴とする
請求項１乃至６の何れか一項に記載の電気光学装置。
【請求項８】
前記第１配向膜は、前記第１辺と平行または略平行な方向にラビングが施されている請
求項１乃至７の何れか一項に記載の電気光学装置。
【請求項９】
請求項１乃至８の何れか一項に記載の電気光学装置を備えていることを特徴とする電子
機器。
【発明の詳細な説明】
【技術分野】
【０００１】
本発明は、第１基板の非表示領域に検査端子が配置された電気光学装置、および当該電
気光学装置を備えた電子機器に関するものである。
【背景技術】
【０００２】
液晶装置等の電気光学装置において、基板の表示領域に対して外側の非表示領域には、
駆動回路が配置されているとともに、非表示領域には、フレキシブル配線基板等が接続さ
れる接続端子が配置されている。かかる電気光学装置の製造工程では、入力用の検査端子
から駆動回路に電気的信号等を出力する一方、駆動回路から出力用の検査端子に出力され
た信号に基づいて、駆動回路の検査を行う。ここで、検査端子は、検査工程を実施した以
降、不要となる。そこで、基板に対する各種工程を大型基板の状態で行い、基板の製造工
程が終了した後、大型基板を切断する方法を用いる場合、大型基板のうち、基板を切り出
す領域以外の領域に検査端子を設けておく製造方法が提案されている（特許文献１参照）
。
【先行技術文献】
【特許文献】
【０００３】
【特許文献１】特開２００３−２７１０６７号公報
【発明の概要】
【発明が解決しようとする課題】
【０００４】
特許文献１に記載の方法では、大型基板のうち、無駄になる部分が多くなるため、大型
基板から切り出せる基板の枚数が減少する等の問題点がある。
【０００５】
従って、図８に示すように、基板１０ｘに検査端子（第１検査端子１１および第２検査
端子１２）を設けることが好ましい。例えば、図８に示す構成例では、基板１０ｘの表示
領域１０ａの外側の非表示領域１０ｃにおいて、第１辺１０ｅに沿って複数の接続端子１
０２を設けるとともに、第１辺１０ｅに隣接する第２辺１０ｈの中央部分や、第２辺１０
ｈに対向する第３辺１０ｇの中央部分に第１検査端子１１および第２検査端子１２が設け
られている。
【０００６】
しかしながら、図８に示す構成の場合、基板１０ｘの製造工程において、以下の問題が
発生する。例えば、基板１０ｘに形成した配向膜に対して第１辺に平行または略平行な方
向に沿ってラビング処理を行うと、第１検査端子１１および第２検査端子１２の凹凸に起
因して発生したスジ等が表示領域１０ａまで到達して配向不良を起こし、表示品位が低下
する等の問題が発生する。また、ラビング工程以外の工程でも、基板１０ｘを多数取りで
きる大型基板１０ｗに対して水洗やウエット処理を行った場合、第１検査端子１１および
第２検査端子１２の凹凸に起因して、第１検査端子１１および第２検査端子１２から表示
領域１０ａに洗浄水や処理液が筋状に垂れる結果、表示領域１０ａに不純物が付着する等
、表示領域１０ａの表面性状がばらついて表示品位が低下する等の問題が発生する。
【０００７】
以上の問題点に鑑みて、本発明の課題は、基板の辺に沿って検査端子を設けた場合でも
、検査端子に起因する表示品位の低下を抑制することのできる電気光学装置、および電子
機器を提供することにある。
【課題を解決するための手段】
【０００８】
上記課題を解決するために、本発明に係る電気光学装置は、第１基板の表示領域に対し
て外側の非表示領域において前記第１基板の第１辺に沿って配列された複数の接続端子と
、前記非表示領域において前記第１基板の前記第１辺に隣接する第２辺に沿って配置され
た第１駆動回路と、前記非表示領域において前記第２辺に沿って配置された複数の第１検
査端子と、を有し、前記複数の第１検査端子は、前記表示領域を前記第１辺の延在方向に
投影した投影範囲に対して前記第２辺の延在方向にずれた位置に設けられていることを特
徴とする。
【０００９】
本発明では、第１基板の非表示領域には、第２辺に沿って第１検査端子が形成されてい
るが、かかる複数の第１検査端子は、表示領域を第１辺の延在方向に投影した投影範囲に
対して第２辺の延在方向にずれている。このため、第１基板に対して水洗やウエット処理
を行う際、接続端子の影響を避けて、第１辺を上下方向に向けても、第１検査端子から表
示領域に洗浄水や処理液が筋状に垂れるという事態が発生しにくい。従って、表示領域の
表面性状のばらつきを抑制することができる。また、接続端子の影響を避けて、第１辺に
平行あるいは略平行な方向にラビング処理を行っても、第１検査端子に起因するスジ等が
発生しにくい。それ故、基板の辺に沿って検査端子を設けた場合でも、検査端子に起因す
る表示品位の低下を抑制することができる。
【００１０】
本発明において、前記複数の第１検査端子は、前記第２辺に沿って一列に配置されてい
ることが好ましい。かかる構成によれば、第１辺が延在する方向において、第１検査端子
が占めるスペースの幅を狭くすることができる。
【００１１】
本発明において、前記複数の第１検査端子の一部の端子は、前記投影範囲に対して前記
第２辺の延在方向の一方側にずれた位置に設けられ、他の一部の端子は、前記投影範囲に
対して前記第２辺の延在方向の他方側にずれた位置に設けられている構成を採用すること
ができる。
【００１２】
本発明において、前記複数の第１検査端子は、前記投影範囲に対して前記第２辺の延在
方向の一方側にずれた位置に設けられている構成を採用してもよい。
【００１３】
本発明において、前記非表示領域において前記第１基板の前記第２辺と対向する第３辺
に沿って配置された第２駆動回路と、前記非表示領域において前記第３辺に沿って配置さ
れた複数の第２検査端子を有し、前記複数の第２検査端子は、前記表示領域を前記第１辺
の延在方向に投影した範囲に対して前記第３辺の延在方向にずれた位置に設けられている
構成を採用することができる。
【００１４】
本発明において、前記複数の第１端子と前記複数の第２検査端子は、前記表示領域を挟
んで線対称に配置されている構成を採用することができる。
【００１５】
本発明に係る電気光学装置が液晶装置である場合、液晶装置は、前記第１基板に対向す
る第２基板と、前記第１基板と前記第２基板とを貼り合わせる枠状のシール材と、前記シ
ール材で囲まれた領域に配置された液晶層と、を有し、前記第１基板の前記液晶層と接す
る面に第１配向膜が形成され、前記第２基板の前記液晶層と接する面に第２配向膜が形成
されている。
【００１６】
この場合、前記第１配向膜は、前記第１辺と平行または略平行な方向にラビングが施さ
れている構成を採用することができる。
【００１７】
本発明に係る液晶装置は、携帯電話機やモバイルコンピューター、カメラのファインダ
ー、投射型表示装置等の電子機器に用いることができる。これらの電子機器のうち、投射
型表示装置は、液晶装置に光を供給するための光源部と、液晶装置によって光変調された
光を投射する投射光学系とを備えている。
【図面の簡単な説明】
【００１８】
【図１】本発明の実施の形態１に係る電気光学装置の液晶パネルの説明図である。
【図２】本発明の実施の形態１に係る電気光学装置の第１基板の電気的構成を示す説明図である。
【図３】本発明の実施の形態１に係る電気光学装置の第１基板に形成した検査端子の説明図である。
【図４】本発明の実施の形態１に係る電気光学装置における効果を説明するための説明図である。
【図５】本発明の実施の形態２に係る電気光学装置の第１基板に形成した検査端子の説明図である。
【図６】本発明の実施の形態３に係る電気光学装置の第１基板に形成した検査端子の説明図である。
【図７】本発明を適用した投射型表示装置（電子機器）および光学ユニットの概略構成図である。
【図８】本発明の参考例に係る電気光学装置の第１基板に形成した検査端子の説明図である。
【発明を実施するための形態】
【００１９】
図面を参照して、本発明の実施の形態を説明する。なお、以下の説明で参照する図にお
いては、各層や各部材を図面上で認識可能な程度の大きさとするため、各層や各部材毎に
縮尺を異ならしめてある。また、以下の説明で参照する図においては、走査線、データ線
、信号線等の配線等については、それらの数を少なく表してある。また、第１基板１０の
面内方向で交差する２方向をＹ方向（第１方向）とＸ方向（第２方向）とし、Ｙ方向の一
方側をＹ１側とし、Ｙ方向の他方側をＹ２とし、Ｘ方向の一方側をＸ１側とし、Ｘ方向の
他方側をＸ２として説明する。
【００２０】
［実施の形態１］
図１は、本発明の実施の形態１に係る電気光学装置の液晶パネルの説明図であり、図１
（ａ）、（ｂ）は各々、液晶パネルを各構成要素と共に対向基板の側から見た平面図、お
よびそのＨ−Ｈ′断面図である。
【００２１】
図１（ａ）、（ｂ）に示すように、本形態の電気光学装置１００は液晶パネル１００ｐ
を有しており、液晶パネル１００ｐは、第１基板１０（素子基板）と第２基板２０（対向
基板）とが所定の隙間を介して枠状のシール材１０７によって貼り合わされている。本形
態においてシール材１０７は第２基板２０の外縁に沿うように枠状に設けられている。シ
ール材１０７は、光硬化性樹脂や熱硬化性樹脂等からなる接着剤であり、両基板間の距離
を所定値とするためのグラスファイバーあるいはガラスビーズ等のギャップ材１０７ａが
配合されている。液晶パネル１００ｐにおいて、第１基板１０と第２基板２０との間のう
ち、シール材１０７によって囲まれた領域内には、液晶層５０が設けられている。シール
材１０７には、液晶注入口１０７ｃとして利用される途切れ部分が形成されており、かか
る液晶注入口１０７ｃは、液晶材料の注入後、封止材１０７ｄによって封止されている。
【００２２】
液晶パネル１００ｐにおいて、第１基板１０および第２基板２０はいずれも四角形であ
り、第１基板１０は、Ｘ方向に延在する第１辺１０ｅと、第１辺１０ｅにＸ方向の他方側
Ｘ２で隣接してＹ方向に延在する第２辺１０ｈと、第１辺１０ｅにＸ方向の他方側Ｘ２で
隣接して第２辺１０ｈに対向するようにＹ方向に延在する第３辺１０ｇと、Ｙ方向で第１
辺１０ｅに対向するようにＸ方向に延在する第４辺１０ｆとを備えている。液晶パネル１
００ｐの略中央には、表示領域１０ａが四角形の領域として設けられており、かかる形状
に対応して、シール材１０７も略四角形に設けられている。従って、液晶パネル１００ｐ
は、表示領域１０ａと第１基板１０の外縁との間に四角形の非表示領域１０ｃを有してい
る。
【００２３】
第１基板１０において、非表示領域１０ｃでは、第１辺１０ｅに沿ってデータ線駆動回
路１０１（駆動回路）および複数の接続端子１０２が形成されている。また、第１基板１
０において、非表示領域１０ｃでは、第２辺１０ｈに沿って走査線駆動回路１０４（第１
駆動回路１０４ａ）が形成され、第３辺１０ｇに沿って走査線駆動回路１０４（第２駆動
回路１０４ｂ）が形成されている。なお、接続端子１０２には、フレキシブル配線基板（
図示せず）が接続されており、第１基板１０には、フレキシブル配線基板を介して外部制
御回路から各種電位や各種信号が入力される。
【００２４】
第１基板１０の一方面１０ｓおよび他方面１０ｔのうち、第２基板２０と対向する一方
面１０ｓの側において、表示領域１０ａには、画素電極９ａや、図２等を参照して後述す
る画素スイッチング素子３０等がマトリクス状に配列されている。従って、表示領域１０
ａは、画素電極９ａがマトリクス状に配列された画素電極配列領域１０ｐとして構成され
ている。かかる構成の第１基板１０において、画素電極９ａの上層側には第１配向膜１６
が形成されている。
【００２５】
第１基板１０の一方面１０ｓの側において、表示領域１０ａより外側の非表示領域１０
ｃのうち、表示領域１０ａとシール材１０７とに挟まれた四角枠状のダミー領域１０ｂ（
周辺領域）にはダミー画素電極９ｂが形成されている。
【００２６】
第２基板２０の一方面２０ｓおよび他方面２０ｔのうち、第１基板１０と対向する一方
面２０ｓの側には共通電極２１が形成されている。共通電極２１は、第２基板２０の略全
面あるいは複数の帯状電極として複数の画素１００ａに跨って形成されている。本形態に
おいて、共通電極２１は、第２基板２０の略全面に形成されている。
【００２７】
第２基板２０の一方面２０ｓの側には、共通電極２１の下層側に遮光層２９が形成され
、共通電極２１の表面には第２配向膜２６が積層されている。遮光層２９は、表示領域１
０ａの外周縁に沿って延在する額縁部分２９ａとして形成されており、遮光層２９の内周
縁によって表示領域１０ａが規定されている。また、遮光層２９は、隣り合う画素電極９
ａにより挟まれた画素間領域に重なるブラックマトリクス部２９ｂとしても形成されてい
る。
【００２８】
第１配向膜１６および第２配向膜２６は、ポリイミドや無機配向膜等からなる。第１配
向膜１６および第２配向膜２６がポリイミド等からなる場合、第１配向膜１６および第２
配向膜２６の表面にはラビング処理が施されている。かかるラビング処理において、第１
配向膜１６に対するラビング方向は、第１辺１０ｅと平行あるいは略平行であり、第２配
向膜２６に対するラビング方向は、第１配向膜１６に対するラビング方向に対して交差す
る方向である。
【００２９】
液晶パネル１００ｐにおいて、シール材１０７より外側には、第２基板２０の一方面２
０ｓの側の４つの角部分に基板間導通用電極２５が形成されており、第１基板１０の一方
面１０ｓの側には、第２基板２０の４つの角部分（基板間導通用電極２５）と対向する位
置に基板間導通用電極１９が形成されている。本形態において、基板間導通用電極２５は
、共通電極２１の一部からなる。基板間導通用電極１９には、共通電位Ｖcomが印加され
ている。基板間導通用電極１９と基板間導通用電極２５との間には、導電粒子を含んだ基
板間導通材１９ａが配置されており、第２基板２０の共通電極２１は、基板間導通用電極
１９、基板間導通材１９ａおよび基板間導通用電極２５からなる基板間導通部１９０を介
して第１基板１０側に電気的に接続されている。このため、共通電極２１は、第１基板１
０の側から共通電位Ｖcomが印加されている。シール材１０７は、略同一の幅寸法をもっ
て第２基板２０の外周縁に沿って設けられているが、第２基板２０の角部分と重なる領域
では基板間導通用電極１９、２５を避けて内側を通るように設けられている。
【００３０】
本形態において、電気光学装置１００は透過型電気光学装置であり、画素電極９ａおよ
び共通電極２１は、ＩＴＯ（Indium Tin Oxide）膜やＩＺＯ（Indium Zinc Oxide）膜等
の透光性導電膜により形成されている。かかる透過型の電気光学装置１００では、例えば
、第２基板２０の側から入射した光が第１基板１０の側から出射される間に変調されて画
像を表示する。また、電気光学装置１００が反射型の電気光学装置である場合、共通電極
２１は、ＩＴＯ膜やＩＺＯ膜等の透光性導電膜により形成され、画素電極９ａは、アルミ
ニウム膜等の反射性導電膜により形成される。かかる反射型の電気光学装置１００では、
第１基板１０および第２基板２０のうち、第２基板２０の側から入射した光が第１基板１
０で反射して出射される間に変調されて画像を表示する。
【００３１】
電気光学装置１００は、モバイルコンピューター、携帯電話機等といった電子機器のカ
ラー表示装置として用いることができ、この場合、第２基板２０等には、カラーフィルタ
ー（図示せず）が形成される。また、電気光学装置１００は、電子ペーパーとして用いる
ことができる。また、電気光学装置１００では、使用する液晶層５０の種類や、ノーマリ
ホワイトモード／ノーマリブラックモードの別に応じて、偏光フィルム、位相差フィルム
、偏光板等が液晶パネル１００ｐに対して所定の向きに配置される。さらに、電気光学装
置１００は、後述する投射型表示装置（液晶プロジェクター）において、ＲＧＢ用のライ
トバルブとして用いることができる。この場合、ＲＧＢ用の各電気光学装置１００の各々
には、ＲＧＢ色分解用のダイクロイックミラーを介して分解された各色の光が投射光とし
て各々入射されることになるので、カラーフィルターは形成されない。
【００３２】
（第１基板１０の電気的構成）
図２は、本発明の実施の形態１に係る電気光学装置１００の第１基板１０の電気的構成
を示す説明図であり、図２（ａ）、（ｂ）は、第１基板１０の回路や配線の平面的なレイ
アウトを示す説明図、および画素の電気的構成を示す説明図である。なお、以下の説明に
おいて、接続端子１０２を介して第１基板１０に入力される信号や電位に対応する配線に
ついては、「Ｌ」の後に信号や電位を示すアルファベット記号を付与して説明する。例え
ば、信号名称である「クロック信号ＣＬＸ」に対応する配線について「クロック信号線Ｌ
ＣＬＸ」とする。また、接続端子１０２に関しては、「Ｔ」の後に信号や電位を示すアル
ファベット記号を付与して説明する。例えば、信号名称である「クロック信号ＣＬＸ」に
対応する接続端子１０２については「接続端子ＴＣＬＸ」とする。
【００３３】
図２（ａ）、（ｂ）に示すように、電気光学装置１００において、第１基板１０には複
数の画素１００ａがマトリクス状に配列された画素電極配列領域１０ｐが設けられている
。画素電極配列領域１０ｐのうち、図１（ｂ）に示す額縁部分２９ａの内縁で囲まれた領
域が表示領域１０ａであり、表示領域１０ａの外側がダミー領域１０ｂである。
【００３４】
第１基板１０では、画素電極配列領域１０ｐの内側に、Ｙ方向に沿って延在する複数本
のデータ線６ａと、Ｘ方向に沿って延在する複数本の走査線３ａとが形成されており、そ
れらの交点に対応する位置に画素１００ａが構成されている。複数の画素１００ａの各々
には、ＴＦＴ等のトランジスターからなる画素スイッチング素子３０、および画素電極９
ａが形成されている。画素スイッチング素子３０のソースにはデータ線６ａが電気的に接
続され、画素スイッチング素子３０のゲートには走査線３ａが電気的に接続され、画素ス
イッチング素子３０のドレインには、画素電極９ａが電気的に接続されている。
【００３５】
第１基板１０において、表示領域１０ａ（画素電極配列領域１０ｐ）より外側の非表示
領域１０ｃには、走査線駆動回路１０４（第１駆動回路１０４ａ、第２駆動回路１０４ｂ
）、データ線駆動回路１０１、サンプリング回路１０３、基板間導通用電極１９、検査回
路１７、接続端子１０２等が構成されており、接続端子１０２から走査線駆動回路１０４
、データ線駆動回路１０１、サンプリング回路１０３、および基板間導通用電極１９に向
けて複数の配線１０５が延在している。サンプリング回路１０３は、複数本のデータ線６
ａにＹ方向の一方側Ｙ１で電気的に接続しており、走査線駆動回路１０４は、複数本の走
査線３ａにＸ方向で電気的に接続している。
【００３６】
各画素１００ａにおいて、画素電極９ａは、図１を参照して説明した第２基板２０に形
成された共通電極２１と液晶層５０を介して対向し、液晶容量５０ａを構成している。ま
た、各画素１００ａには、液晶容量５０ａで保持される画像信号の変動を防ぐために、液
晶容量５０ａと並列に保持容量５５が付加されている。本形態では、保持容量５５を構成
するために、複数の画素１００ａに跨って容量線５ａが形成され、かかる容量線５ａには
、共通電極２１に印加される共通電位と同一の共通電位Ｖcomが印加されている。なお、
容量線５ａは、走査線３ａに沿ってＸ方向に沿って延在している構成、およびデータ線６
ａに沿ってＹ方向に沿って延在している構成のいずれを採用してもよい。
【００３７】
接続端子１０２は、共通電位線用、走査線駆動回路用、画像信号用、およびデータ線駆
動回路用の４つの用途に大きく分類される複数の接続端子群により構成されている。具体
的には、複数の接続端子１０２は、共通電位線ＬＶcom用として接続端子ＴＶcomを含み、
走査線駆動回路１０４用として接続端子ＴＳＰＹ、接続端子ＴＶＳＳＹ、接続端子ＴＶＤ
ＤＹ、接続端子ＴＣＬＹ、および接続端子ＴＣＬＹINVを含んでいる。また、複数の接続
端子１０２は、画像信号ＶＩＤ１〜ＶＩＤ６用として接続端子ＴＶＩＤ１〜ＴＶＩＤ６を
含み、データ線駆動回路１０１用として、接続端子ＴＶＳＳＸ、接続端子ＴＳＰＸ、接続
端子ＴＶＤＤＸ、接続端子ＴＣＬＸ、接続端子ＴＣＬＸINV、接続端子ＴＥＮＢ１〜ＴＥ
ＮＢ４、および接続端子ＴＶＳＳＸを含んでいる。
【００３８】
データ線駆動回路１０１は、シフトレジスター回路１０１ｃ、波形選択回路１０１ｂ、
およびバッファー回路１０１ａを備えている。データ線駆動回路１０１において、シフト
レジスター回路１０１ｃは、外部制御回路から接続端子１０２（接続端子ＴＶＳＳＸ、Ｔ
ＶＤＤＸ）および配線１０５（配線ＬＶＳＳＸ、ＬＶＤＤＸ）を介して供給される負電源
ＶＳＳＸおよび正電源ＶＤＤＸを電源として用い、外部制御回路から接続端子１０２（接
続端子ＴＳＰＸ）および配線１０５（配線ＬＳＰＸ）を介して供給されるスタート信号Ｓ
ＰＸに基づいて転送動作を開始する。シフトレジスター回路１０１ｃは、接続端子１０２
（接続端子ＴＣＬＸ、ＴＣＬＸINV）、および配線１０５（配線ＬＣＬＸ、ＬＣＬＸINV）
を介して供給されるクロック信号ＣＬＸおよび逆位相クロック信号ＣＬＸINVに基づき、
転送信号を波形選択回路１０１ｂへ出力する。波形選択回路１０１ｂは、「イネーブル回
路」とも称され、シフトレジスター回路１０１ｃから出力される転送信号のパルス幅を、
外部制御回路から接続端子１０２（接続端子ＴＥＮＢ１〜ＴＥＮＢ４）および配線１０５
（配線ＬＥＮＢ１〜ＬＥＮＢ４）を介して供給されるイネーブル信号ＥＮＢ１〜ＥＮＢ４
のパルス幅に制限することにより、後述のサンプリング回路１０３における各サンプリン
グ期間を規定する。より具体的には、波形選択回路１０１ｂは、シフトレジスター回路１
０１ｃの各段に対応して設けられたＮＡＮＤ回路およびインバーター等により構成されて
おり、シフトレジスター回路１０１ｃより出力される転送信号がハイレベルとされており
、かつ、イネーブル信号ＥＮＢ１〜ＥＮＢ４のいずれかがハイレベルとされているときに
のみデータ線６ａが駆動されるように時間軸上における電位の選択制御を行う。バッファ
ー回路１０１ａは、このように波形の選択が行われた転送信号をバッファリングした後、
サンプリング回路駆動信号として、サンプリング回路駆動信号線１０９を介してサンプリ
ング回路１０３に供給する。
【００３９】
サンプリング回路１０３は、画像信号をサンプリングするためのサンプリングスイッチ
１０８を複数備えて構成されている。本形態において、サンプリングスイッチ１０８は、
ＴＦＴ等のトランジスターからなる。サンプリングスイッチ１０８のドレインには、デー
タ線６ａが電気的に接続され、サンプリングスイッチ１０８のソースには、配線１０６を
介して配線１０５（画像信号線ＬＶＩＤ１〜ＬＶＩＤ６）が接続され、サンプリングスイ
ッチ１０８のゲートには、データ線駆動回路１０１に接続されたサンプリング回路駆動信
号線１０９が接続されている。そして、接続端子１０２（接続端子ＴＶＩＤ１〜ＶＩＤ６
）を介して配線１０５（画像信号線ＬＶＩＤ１〜ＬＶＩＤ６）に供給された画像信号ＶＩ
Ｄ１〜ＶＩＤ６は、データ線駆動回路１０１からサンプリング回路駆動信号線１０９を通
じてサンプリング回路駆動信号が供給されるのに応じ、サンプリング回路１０３によりサ
ンプリングされ、各データ線６ａに画像信号Ｓ１、Ｓ２、Ｓ３、・・Ｓｎとして供給され
る。本形態において、画像信号Ｓ１、Ｓ２、Ｓ３、・・Ｓｎは、６相にシリアル−パラレ
ル展開された画像信号ＶＩＤ１〜ＶＩＤ６の各々に対応して、６本のデータ線６ａの組に
対してグループ毎に供給される。なお、画像信号の相展開数に関しては、６相に限られる
ものでなく、例えば、９相、１２相、２４相、４８相等、複数相に展開された画像信号が
、その展開数に対応した数を一組としたデータ線６ａの組に対して供給される。
【００４０】
走査線駆動回路１０４は、構成要素としてシフトレジスター回路およびバッファー回路
を備えている。走査線駆動回路１０４は、外部制御回路から接続端子１０２（接続端子Ｔ
ＶＳＳＹ、ＴＶＤＤＹ）および配線１０５（配線ＬＶＳＳＹ、ＬＶＤＤＹ）を介して供給
される負電源ＶＳＳＹおよび正電源ＶＤＤＹを電源として用い、同じく外部制御回路から
接続端子１０２（接続端子ＴＳＰＹ）および配線１０５（配線ＬＳＰＹ）を介して供給さ
れるスタート信号ＳＰＹに応じて、その内蔵シフトレジスター回路の転送動作を開始する
。また、走査線駆動回路１０４は、接続端子１０２（接続端子ＴＣＬＹ、ＴＣＬＹINV）
および配線１０５（配線ＬＣＬＹ、ＬＣＬＹINV）を介して供給されるクロック信号ＣＬ
Ｙおよび逆位相クロック信号ＣＬＹINVに基づいて、所定のタイミングで走査線３ａに走
査信号をパルス的に線順次で印加する。
【００４１】
第１基板１０には、４つの基板間導通用電極１９を通過するように配線１０５（共通電
位線ＬＶcom）が形成されており、基板間導通用電極１９には、接続端子１０２（接続端
子ＴＶcom）および配線１０５（共通電位線ＬＶcom）を介して共通電位Ｖcomが供給され
る。
【００４２】
なお、第１基板１０において、表示領域１０ａに対してデータ線駆動回路１０１とは反
対側には検査回路１７が構成されている。
【００４３】
（検査端子の構成）
図３は、本発明の実施の形態１に係る電気光学装置１００の第１基板１０に形成した検
査端子の説明図である。なお、図３では、検査端子と表示領域１０ａとの位置関係が分か
りやすいように、表示領域１０ａを図１に比較して小さく表してある。
【００４４】
図２および図３に示すように、本形態の電気光学装置１００において、第１基板１０の
非表示領域１０ｃには、走査線駆動回路１０４のシフトレジスター回路やデータ線駆動回
路１０１のシフトレジスター回路を検査する検査端子（第１検査端子１１および第２検査
端子１２）が形成されている。かかる検査端子（第１検査端子１１および第２検査端子１
２）を用いた検査は、第１基板１０を製造した後、第２基板２０とシール材１０７によっ
て貼り合わされる前に行われる。このため、検査端子（第１検査端子１１および第２検査
端子１２）は、電気光学装置１００の状態および液晶パネル１００ｐの状態でシール材１
０７によって覆われている。
【００４５】
本形態においては、図３に示すように、第１検査端子１１および第２検査端子１２は、
第１基板１０の非表示領域１０ｃのうち、表示領域１０ａを第１辺１０ｅの延在方向（Ｘ
方向）に投影した投影範囲Ｙａに対して第２辺１０ｈおよび第３辺１０ｇの延在方向（Ｙ
方向）にずれている。
【００４６】
より具体的には、第１基板１０の非表示領域１０ｃにおいて、第１駆動回路１０４ａ（
走査線駆動回路１０４）より第２辺１０ｈに近い位置には、複数の第１検査端子１１が形
成されている。複数の第１検査端子１１の一部は、表示領域１０ａを第１辺１０ｅの延在
方向（Ｘ方向）に投影した投影範囲Ｙａに対してＹ方向の一方側Ｙ１にずれた位置に形成
されており、他の一部は、投影範囲Ｙａに対してＹ方向の他方側Ｙ２にずれた位置に形成
されている。本形態において、第１検査端子１１は、計４つであり、投影範囲Ｙａに対し
てＹ方向の一方側Ｙ１に２つ配置され、投影範囲Ｙａに対してＹ方向の他方側Ｙ２にずれ
た位置に他の２つが配置されている。本形態において、複数の第１検査端子１１は、第２
辺１０ｈに沿って一列に配列されている。
【００４７】
また、第１基板１０の非表示領域１０ｃにおいて、第２駆動回路１０４ｂ（走査線駆動
回路１０４）より第３辺１０ｇに近い位置には、複数の第２検査端子１２が形成されてい
る。ここで、複数の第１検査端子１１と複数の第２検査端子１２は、表示領域１０ａを挟
んで線対称に配置されている。より具体的には、複数の第２検査端子１２の一部は、投影
範囲Ｙａに対してＹ方向の一方側Ｙ１にずれた位置に形成されており、他の一部は、投影
範囲Ｙａに対してＹ方向の他方側Ｙ２にずれた位置に形成されている。本形態において、
第２検査端子１２は、計４つであり、投影範囲Ｙａに対してＹ方向の一方側Ｙ１に２つ配
置され、投影範囲Ｙａに対してＹ方向の他方側Ｙ２にずれた位置に他の２つが配置されて
いる。本形態において、複数の第２検査端子１２は、第３辺１０ｇに沿って一列に配列さ
れている。
【００４８】
４つの第１検査端子１１には、第１駆動回路１０４ａおよびデータ線駆動回路１０１へ
の検査パルスの入力を制御するスイッチング素子を制御するための検査端子１１ａ、第１
駆動回路１０４ａおよびデータ線駆動回路１０１に検査パルスを入力するための検査端子
１１ｂ、第１駆動回路１０４ａから出力されるエンドパルスを検出するための検査端子１
１ｃ、およびデータ線駆動回路１０１から出力されるエンドパルスを検出するための検査
端子１１ｄが含まれている。また、４つの第２検査端子１２には、第２駆動回路１０４ｂ
およびデータ線駆動回路１０１への検査パルスの入力を制御するスイッチング素子を制御
するための検査端子１２ａ、第２駆動回路１０４ｂおよびデータ線駆動回路１０１に検査
パルスを入力するための検査端子１２ｂ、第１駆動回路１０４ａから出力されるエンドパ
ルスを検出するための検査端子１２ｃ、およびデータ線駆動回路１０１から出力されるエ
ンドパルスを検出するための検査端子１２ｄが含まれている。
【００４９】
（本形態の主な効果）
図４は、本発明の実施の形態１に係る電気光学装置１００における効果を説明するため
の説明図であり、大型基板１０ｗに複数の第１基板１０を形成した後、大型基板１０ｗを
切断する前の状態を示してある。
【００５０】
本形態の電気光学装置１００において、第１基板１０の非表示領域１０ｃには、第２辺
１０ｈに沿って複数の第１検査端子１１が形成され、第３辺１０ｇに沿って複数の第２検
査端子１２が形成されているが、第１検査端子１１および第２検査端子１２は、表示領域
１０ａをＸ方向に投影した投影範囲Ｙａに対してＹ方向にずれている。このため、図４に
示すように、第１基板１０に対して水洗やウエット処理を行う際、接続端子１０２の影響
を避けて第１辺１０ｅを上下方向に向けても処理を行っても、第１検査端子１１および第
２検査端子１２から表示領域１０ａに洗浄水や処理液が筋状に垂れるという事態が発生し
にくい。従って、表示領域１０ａに不純物が付着する事態等を回避することができるので
、表示領域１０ａの表面性状のばらつきを抑制することができる。それ故、第１基板１０
の第２辺１０ｈおよび第３辺１０ｇに沿って第１検査端子１１および第２検査端子１２を
設けた場合でも、第１検査端子１１および第２検査端子１２に起因する表示品位の低下を
抑制することができる。
【００５１】
また、接続端子１０２の影響を避けて、第１配向膜１６に対してＸ方向に平行あるいは
略平行な方向にラビング処理を行っても、第１検査端子１１および第２検査端子１２に起
因するスジ等が第１配向膜１６に発生しにくい。それ故、第１基板１０の第２辺１０ｈお
よび第３辺１０ｇに沿って第１検査端子１１および第２検査端子１２を設けた場合でも、
第１検査端子１１および第２検査端子１２に起因する表示品位の低下を抑制することがで
きる。
【００５２】
また、複数の第１検査端子１１および第２検査端子１２は、第２辺１０ｈおよび第３辺
１０ｇに沿って一列に配置されているため、Ｘ方向において、第１検査端子１１および第
２検査端子１２が占めるスペースの幅を狭くすることができる。
【００５３】
さらに、複数の第１検査端子１１および複数の第２検査端子１２の一部は、投影範囲Ｙ
ａに対してＹ方向の一方側Ｙ１にずれた位置に設けられ、他の一部は、投影範囲Ｙに対し
てＹ方向の他方側Ｙ２にずれた位置に設けられている。このため、スペース的な余裕がな
い場合でも、走査線駆動回路１０４およびデータ線駆動回路１０１に近い位置に検査端子
１１ｃ、１１ｄ、１２ｃ、１２ｄを設けることができる。
【００５４】
［実施の形態２］
図５は、本発明の実施の形態２に係る電気光学装置１００の第１基板１０に形成した検
査端子の説明図である。なお、本形態および後述する実施の形態３の基本的な構成は、実
施の形態１と同様であるため、共通する部分には同一の符号を付してそれらの説明を省略
する。
【００５５】
図５に示すように、本形態でも、実施の形態１と同様、第１検査端子１１および第２検
査端子１２は、第１基板１０の非表示領域１０ｃのうち、表示領域１０ａを第１辺１０ｅ
の延在方向（Ｘ方向）に投影した投影範囲Ｙａに対して第２辺１０ｈおよび第３辺１０ｇ
の延在方向（Ｙ方向）にずれている。
【００５６】
ここで、複数の第１検査端子１１はいずれも、投影範囲Ｙａに対してＹ方向の一方側Ｙ
１にずれた位置において、第２辺１０ｈに沿って一列に配列されている。また、複数の第
２検査端子１２はいずれも、投影範囲Ｙａに対してＹ方向の一方側Ｙ１にずれた位置にお
いて、第３辺１０ｇに沿って一列に配列されている。このため、複数の第１検査端子１１
および複数の第２検査端子１２が各々、纏まった位置にある。従って、検査の際に複数の
第１検査端子１１および複数の第２検査端子１２に当接させる検査プローブを小型化でき
る等の利点がある。
【００５７】
［実施の形態３］
図６は、本発明の実施の形態３に係る電気光学装置１００の第１基板１０に形成した検
査端子の説明図である。
【００５８】
図６に示すように、本形態でも、実施の形態１と同様、第１検査端子１１および第２検
査端子１２は、第１基板１０の非表示領域１０ｃのうち、表示領域１０ａを第１辺１０ｅ
の延在方向（Ｘ方向）に投影した投影範囲Ｙａに対して第２辺１０ｈおよび第３辺１０ｇ
の延在方向（Ｙ方向）にずれている。
【００５９】
ここで、複数の第１検査端子１１の一部（検査端子１１ｃ、１１ｄ）は、第１基板１０
に形成されているが、他の一部（検査端子１１ａ、１１ｂ）は、大型基板１０ｗにおいて
、第１基板１０が切り出される領域に対して、Ｙ方向の一方側Ｙ１で隣り合う位置から切
り出される基板１０′に形成されている。従って、第１基板１０には、大型基板１０ｗに
おいて、第１基板１０が切り出される領域に対して、Ｙ方向の他方側Ｙ２で隣り合う位置
から切り出される基板１０″の検査端子（検査端子１１ａ、１１ｂ）も形成されている。
同様に、複数の第２検査端子１２の一部（検査端子１２ｃ、１２ｄ）は、第１基板１０に
形成されているが、他の一部（検査端子１２ａ、１２ｂ）は、大型基板１０ｗにおいて、
第１基板１０が切り出される領域に対して、Ｙ方向の一方側Ｙ１で隣り合う位置から切り
出される基板１０′に形成されている。従って、第１基板１０には、大型基板１０ｗにお
いて、第１基板１０が切り出される領域に対して、Ｙ方向の他方側Ｙ２で隣り合う位置か
ら切り出される基板１０″の検査端子（検査端子１２ａ、１２ｂ）も形成されている。
【００６０】
［他の実施の形態］
上記実施の形態では、１つの第１基板１０に計８つの検査端子（第１検査端子１１およ
び第２検査端子１２）が形成されていたが、複数の検査端子であれば、８つ未満あるいは
９つ以上の検査端子が形成されている場合に本発明を適用してもよい。
【００６１】
上記実施の形態では、第１基板１０において、Ｘ方向の２個所に走査線駆動回路１０４
（第１駆動回路１０４ａおよび第２駆動回路１０４ｂ）が形成されていたが、Ｘ方向の１
個所に走査線駆動回路１０４が形成されている場合に本発明を適用してもよい。また、上
記実施の形態では、第１基板１０にデータ線駆動回路１０１が形成されていたが、データ
線駆動回路１０１が形成されている場合に本発明を適用してもよい。
【００６２】
上記実施の形態では、第１配向膜１６および第２配向膜２６にラビング処理を行う構成
であったが、第１配向膜１６および第２配向膜２６が斜方蒸着された無機配向膜である場
合に本発明を適用してもよい。
【００６３】
また、上記実施の形態では、電気光学装置として液晶装置を例に挙げて説明したが、本
発明はこれに限定されず、有機エレクトロルミネッセンス表示装置、プラズマディスプレ
イ、ＦＥＤ（Field Emission Display）、ＳＥＤ（Surface-Conduction Electron-Emitte
r Display）、ＬＥＤ（発光ダイオード）表示装置、電気泳動表示装置等の液晶装置に本
発明を適用してもよい。
【００６４】
［電子機器への搭載例］
（投射型表示装置および光学ユニットの構成例）
図７は、本発明を適用した投射型表示装置（電子機器）および光学ユニットの概略構成
図である。
【００６５】
図７に示す投射型表示装置１１０は、観察者側に設けられたスクリーン１１１に光を照
射し、このスクリーン１１１で反射した光を観察する、いわゆる投影型の投射型表示装置
である。投射型表示装置１１０は、光源１１２を備えた光源部１３０と、ダイクロイック
ミラー１１３、１１４と、液晶ライトバルブ１１５〜１１７と、投射光学系１１８と、ク
ロスダイクロイックプリズム１１９（合成光学系）と、リレー系１２０とを備えており、
電気光学装置１００およびクロスダイクロイックプリズム１１９は、光学ユニット２００
を構成している。
【００６６】
光源１１２は、赤色光Ｒ、緑色光Ｇ、および青色光Ｂを含む光を供給する超高圧水銀ラ
ンプで構成されている。ダイクロイックミラー１１３は、光源１１２からの赤色光Ｒを透
過させるとともに、緑色光Ｇ、および青色光Ｂを反射する構成となっている。また、ダイ
クロイックミラー１１４は、ダイクロイックミラー１１３で反射された緑色光Ｇおよび青
色光Ｂのうち青色光Ｂを透過させるとともに緑色光Ｇを反射する構成となっている。この
ように、ダイクロイックミラー１１３、１１４は、光源１１２から出射した光を赤色光Ｒ
と緑色光Ｇと青色光Ｂとに分離する色分離光学系を構成する。
【００６７】
ここで、ダイクロイックミラー１１３と光源１１２との間には、インテグレーター１２
１および偏光変換素子１２２が光源１１２から順に配置されている。インテグレーター１
２１は、光源１１２から照射された光の照度分布を均一化する構成となっている。また、
偏光変換素子１２２は、光源１１２からの光を、例えばｓ偏光のような特定の振動方向を
有する偏光にする構成となっている。
【００６８】
液晶ライトバルブ１１５は、ダイクロイックミラー１１３を透過して反射ミラー１２３
で反射した赤色光を画像信号に応じて変調する透過型の電気光学装置である。液晶ライト
バルブ１１５は、λ／２位相差板１１５ａ、第１偏光板１１５ｂ、電気光学装置１００（
赤色用液晶パネル１００Ｒ）、および第２偏光板１１５ｄを備えている。ここで、液晶ラ
イトバルブ１１５に入射する赤色光Ｒは、ダイクロイックミラー１１３を透過しても光の
偏光は変化しないことから、ｓ偏光のままである。
【００６９】
λ／２位相差板１１５ａは、液晶ライトバルブ１１５に入射したｓ偏光をｐ偏光に変換
する光学素子である。また、第１偏光板１１５ｂは、ｓ偏光を遮断してｐ偏光を透過させ
る偏光板である。そして、電気光学装置１００（赤色用液晶パネル１００Ｒ）は、ｐ偏光
を画像信号に応じた変調によってｓ偏光（中間調であれば円偏光又は楕円偏光）に変換す
る構成となっている。さらに、第２偏光板１１５ｄは、ｐ偏光を遮断してｓ偏光を透過さ
せる偏光板である。したがって、液晶ライトバルブ１１５は、画像信号に応じて赤色光Ｒ
を変調し、変調した赤色光Ｒをクロスダイクロイックプリズム１１９に向けて出射する構
成となっている。
【００７０】
なお、λ／２位相差板１１５ａ、および第１偏光板１１５ｂは、偏光を変換させない透
光性のガラス板１１５ｅに接した状態で配置されており、λ／２位相差板１１５ａ、およ
び第１偏光板１１５ｂが発熱によって歪むのを回避することができる。
【００７１】
液晶ライトバルブ１１６は、ダイクロイックミラー１１３で反射した後にダイクロイッ
クミラー１１４で反射した緑色光Ｇを画像信号に応じて変調する透過型の電気光学装置で
ある。かかる液晶ライトバルブ１１６は、液晶ライトバルブ１１５と同様に、第１偏光板
１１６ｂ、電気光学装置１００（緑色用液晶パネル１００Ｇ）、および第２偏光板１１６
ｄを備えている。液晶ライトバルブ１１６に入射する緑色光Ｇは、ダイクロイックミラー
１１３、１１４で反射されて入射するｓ偏光である。第１偏光板１１６ｂは、ｐ偏光を遮
断してｓ偏光を透過させる偏光板である。また、電気光学装置１００（緑色用液晶パネル
１００Ｇ）は、ｓ偏光を画像信号に応じた変調によってｐ偏光（中間調であれば円偏光又
は楕円偏光）に変換する構成となっている。そして、第２偏光板１１６ｄは、ｓ偏光を遮
断してｐ偏光を透過させる偏光板である。したがって、液晶ライトバルブ１１６は、画像
信号に応じて緑色光Ｇを変調し、変調した緑色光Ｇをクロスダイクロイックプリズム１１
９に向けて出射する構成となっている。
【００７２】
液晶ライトバルブ１１７は、ダイクロイックミラー１１３で反射し、ダイクロイックミ
ラー１１４を透過した後でリレー系１２０を経た青色光Ｂを画像信号に応じて変調する透
過型の電気光学装置である。かかる液晶ライトバルブ１１７は、液晶ライトバルブ１１５
、１１６と同様に、λ／２位相差板１１７ａ、第１偏光板１１７ｂ、電気光学装置１００
（青色用液晶パネル１００Ｂ）、および第２偏光板１１７ｄを備えている。ここで、液晶
ライトバルブ１１７に入射する青色光Ｂは、ダイクロイックミラー１１３で反射してダイ
クロイックミラー１１４を透過した後にリレー系１２０の後述する２つの反射ミラー１２
５ａ、１２５ｂで反射することから、ｓ偏光となっている。
【００７３】
λ／２位相差板１１７ａは、液晶ライトバルブ１１７に入射したｓ偏光をｐ偏光に変換
する光学素子である。また、第１偏光板１１７ｂは、ｓ偏光を遮断してｐ偏光を透過させ
る偏光板である。そして、電気光学装置１００（青色用液晶パネル１００Ｂ）は、ｐ偏光
を画像信号に応じた変調によってｓ偏光（中間調であれば円偏光又は楕円偏光）に変換す
る構成となっている。さらに、第２偏光板１１７ｄは、ｐ偏光を遮断してｓ偏光を透過さ
せる偏光板である。したがって、液晶ライトバルブ１１７は、画像信号に応じて青色光Ｂ
を変調し、変調した青色光Ｂをクロスダイクロイックプリズム１１９に向けて出射する構
成となっている。なお、λ／２位相差板１１７ａ、および第１偏光板１１７ｂは、ガラス
板１１７ｅに接した状態で配置されている。
【００７４】
リレー系１２０は、リレーレンズ１２４ａ、１２４ｂと反射ミラー１２５ａ、１２５ｂ
とを備えている。リレーレンズ１２４ａ、１２４ｂは、青色光Ｂの光路が長いことによる
光損失を防止するために設けられている。ここで、リレーレンズ１２４ａは、ダイクロイ
ックミラー１１４と反射ミラー１２５ａとの間に配置されている。また、リレーレンズ１
２４ｂは、反射ミラー１２５ａ、１２５ｂの間に配置されている。反射ミラー１２５ａは
、ダイクロイックミラー１１４を透過してリレーレンズ１２４ａから出射した青色光Ｂを
リレーレンズ１２４ｂに向けて反射するように配置されている。また、反射ミラー１２５
ｂは、リレーレンズ１２４ｂから出射した青色光Ｂを液晶ライトバルブ１１７に向けて反
射するように配置されている。
【００７５】
クロスダイクロイックプリズム１１９は、２つのダイクロイック膜１１９ａ、１１９ｂ
をＸ字型に直交配置した色合成光学系である。ダイクロイック膜１１９ａは青色光Ｂを反
射して緑色光Ｇを透過する膜であり、ダイクロイック膜１１９ｂは赤色光Ｒを反射して緑
色光Ｇを透過する膜である。従って、クロスダイクロイックプリズム１１９は、液晶ライ
トバルブ１１５〜１１７の各々で変調された赤色光Ｒと緑色光Ｇと青色光Ｂとを合成し、
投射光学系１１８に向けて出射するように構成されている。
【００７６】
なお、液晶ライトバルブ１１５、１１７からクロスダイクロイックプリズム１１９に入
射する光はｓ偏光であり、液晶ライトバルブ１１６からクロスダイクロイックプリズム１
１９に入射する光はｐ偏光である。このようにクロスダイクロイックプリズム１１９に入
射する光を異なる種類の偏光としていることで、クロスダイクロイックプリズム１１９に
おいて各液晶ライトバルブ１１５〜１１７から入射する光を合成できる。ここで、一般に
、ダイクロイック膜１１９ａ、１１９ｂはｓ偏光の反射トランジスター特性に優れている
。このため、ダイクロイック膜１１９ａ、１１９ｂで反射される赤色光Ｒ、および青色光
Ｂをｓ偏光とし、ダイクロイック膜１１９ａ、１１９ｂを透過する緑色光Ｇをｐ偏光とし
ている。投射光学系１１８は、投影レンズ（図示略）を有しており、クロスダイクロイッ
クプリズム１１９で合成された光をスクリーン１１１に投射するように構成されている。
【００７７】
（他の投射型表示装置）
投射型表示装置においては、光源部として、各色の光を出射するＬＥＤ光源等を用い、
かかるＬＥＤ光源から出射された色光を各々、別の電気光学装置に供給するように構成し
てもよい。
【００７８】
（他の電子機器）
本発明を適用した電気光学装置１００については、上記の電子機器の他にも、携帯電話
機、情報携帯端末（ＰＤＡ：Personal Digital Assistants）、デジタルカメラ、カメラ
のファインダー、液晶テレビ、カーナビゲーション装置、テレビ電話、ＰＯＳ端末、タッ
チパネルを備えた機器等の電子機器において直視型表示装置として用いてもよい。
【符号の説明】
【００７９】
９ａ・・画素電極、１０・・第１基板、１０ａ・・表示領域、１０ｃ・・非表示領域、１
０ｅ・・第１辺、１０ｇ・・第３辺、１０ｈ・・第２辺、１０ｗ・・大型基板、１１・・
第１検査端子、１１ａ〜１１ｄ・・検査端子、１２・・第２検査端子、１２ａ〜１２ｄ・
・検査端子、１６・・第１配向膜、２０・・第２基板、２１・・共通電極、５０・・液晶
層、１００ｐ・・液晶パネル、１０１・・データ線駆動回路、１０２・・接続端子、１０
４・・走査線駆動回路、１０４ａ・・第１駆動回路、１０４ｂ・・第２駆動回路、１０７
・・シール材、Ｙａ・・投影範囲
【図１】
2016099491.tif 000003
【図２】
2016099491.tif 000004
【図３】
2016099491.tif 000005
【図４】
2016099491.tif 000006
【図５】
2016099491.tif 000007
【図６】
2016099491.tif 000008
【図７】
2016099491.tif 000009
【図８】
2016099491.tif 000010